(57)【要約】【課題】給水部は寸法ばらつきや温度変化があっても水漏れが生じない洗濯機を提供することを課題とする。【解決手段】給水部２０は、水管開口部１４Ｂの下流側に、仕切り壁底部１６から下方の貯水部底部１２に向けて第１の仕切り壁１５を垂下形成し、第１の仕切り壁１５を水管開口部１４Ｂの流水方向に対向させると共に、第１の仕切り壁１５と水管開口部１４Ｂとの間に、貯水部１０の底面から上方に向けて第２の仕切り壁１７を形成し、第２の仕切り壁の１７を第２の水管開口部５１４Ｂからの流水方向に対向させたので、給水部２０からの水漏れを防止することができる。【選択図】図１
2019092614.tif 000002
【特許請求の範囲】
【請求項１】
洗濯物を収容する洗濯槽と、
前記洗濯槽に注水する給水部とを備え、
前記給水部は、給水弁と、前記給水弁からの水を受ける貯水部と、前記貯水部の水を前記洗濯槽に供給する注水口と、前記貯水部の底面に向けて前記貯水部の底面との間に水の流れを許容する流路を有して形成され、前記給水弁からの流水方向に対向して形成される第１の仕切り壁と、前記貯水部底面から前記給水弁からの水を前記貯水部に注水する水管開口部と前記第１の仕切り壁との間に、前記水管開口部に対向して形成される第２の仕切り壁とを備えることを特徴とする洗濯機。
【請求項２】
前記第１の仕切り壁の下辺は、前記水管開口部より下方向に延設したことを特徴とした請求項１に記載の洗濯機。
【請求項３】
前記注水口の一部は、前記第１の仕切り壁と前記水管開口部との間に配置したことを特徴とした請求項１または２に記載の洗濯機。
【請求項４】
前記第１の仕切り壁は、天面を有する壁構造に形成したことを特徴とした請求項１から３のいずれか１項に記載の洗濯機。
【請求項５】
前記第２の仕切り壁により囲まれる空間の底面に水抜き孔を形成したことを特徴とした請求項１から４のいずれか１項に記載の洗濯機。
【発明の詳細な説明】
【技術分野】
【０００１】
本発明は、洗い、すすぎ、脱水行程を行なう洗濯機に関するものである。
【背景技術】
【０００２】
従来、この種の洗濯機は、本体内部に洗濯と脱水を行う洗濯槽を有し、洗濯槽に衣類を出し入れする衣類投入口を有し、衣類投入口を開閉自在に覆う蓋体を有している。本体上部後方には、水道から洗濯槽に水を給水する注水部を配置する構成が提案されている（例えば、特許文献１参照）。
【０００３】
図６は、一般的なトップロード洗濯機で蓋体を開いたときの外観斜視図を示す。図７は、一般的なトップロード洗濯機の給水部の要部断面図を示す。
【０００４】
以下、従来の構成について、図６及び図７に基づいて説明する。
【０００５】
本体１０２の上部には、洗濯物を収容する洗濯槽１０１が回転自在に支持されている。本体１０２の上部には、本体１０２の上部を覆う上部筐体１０３が装着されている。上部筐体１０３の略中央部には、衣類投入口１０４が上部筐体１０３に一体に成形され、衣類投入口１０４は、洗濯槽１０１の上方に向けて下方向に伸延して構成している。上部筐体１０３には、衣類投入口１０４の上方全体を覆う蓋体１０５を開閉自在に装着している。
【０００６】
上部筐体１０３の後方には、給水部１２０が配設され、給水部１２０には、冷水を供給する冷水給水弁１０６と、温水を供給する温水給水弁１０７とが設けられている。冷水給水弁１０６には、第２の水管部１０９が接続され、温水給水弁１０７には、第１の水管部１０８が接続されている。
【０００７】
洗濯時、あるいは、すすぎ時には、冷水給水弁１０６、あるいは、温水給水弁１０７から水、あるいは、温水が供給され、供給された水は、接続口１２１から上部のフィルター部１２２を経由して、第２の水管部１０９へ流れる。第２の水管部１０９へ流れた水は、衣類投入口１０４側に開口する水管開口部１１２から注水部１１１と注水カバー１１３との間の空間に向けて吐出される。
【０００８】
注水部１１１の上面部及び側面部は、衣類投入口１０４側に伸延して、衣類投入口１０４裏面側に当接している。また、注水カバー１１３の一部は注水部１１１側に伸延している。そして、注水部１１１と注水カバーとの間には、上部に隙間ａ、下部に隙間ｂを設けている。
【０００９】
注水部１１１と注水カバー１１３との間の空間に吐出された水は、下方の隙間ｂより洗濯槽１０１に給水される。
【００１０】
衣類投入口１０４裏面側と注水部１１１とは、当接しているので、上方の隙間ａから溢れた水は、さらに上には漏れないので、注水部１１１と注水カバーとの間の空間の外に配置した図示しない内部の電気部品の電極などを濡らして、機器が不安全になることを防止している。
【先行技術文献】
【特許文献】
【００１１】
【特許文献１】特開２０１４−２３３３６４号公報
【発明の概要】
【発明が解決しようとする課題】
【００１２】
しかしながら、前記従来の構成では、洗濯時間短縮のために、給水する水の流量Ｑを大きくすると、流量Ｑを水管開口部１１２の開口面積Ｓで除して得られる流速ｖが大きくなる。流速ｖが大きくなると、注水カバー１１３表面を水が上昇しやすくなる。
【００１３】
水が上昇する最大高さｈは、速度ｖを２乗したものを、重力加速度ｇの２倍で除して得られるため、流量Ｑを増やすほど、上昇する最大高さｈは大きくなり、隙間ａから上方に水が漏れやすくなる。
【００１４】
注水部１１１と注水カバー１１３との間の隙間ａから漏れる水を少なくするために、隙間ａを小さく設定することが考えられる。
【００１５】
しかしながら、注水部１１１や注水カバー１１３の寸法ばらつきや、給水する水の温度による注水カバー１１３の膨張により、隙間ａが小さくなって注水部１１１と注水カバー１１３とが当接しやすくなる。注水部１１１と注水カバー１１３とが当接すると、注水カバー１１３が注水部１１１を押し戻して、衣類投入口１０４と注水部１１１との間に隙間が生じて、水が漏れやすくなるため、部品の当接と、隙間の設定だけで水漏れを確実に防止するのが難しいという課題を有していた。
【００１６】
本発明は、上記従来の課題を解決するもので、簡単な構成で水漏れを防止する洗濯機を提供することを目的としている。
【課題を解決するための手段】
【００１７】
前記従来の課題を解決するために、本発明の洗濯機は、洗濯物を収容する洗濯槽と、前記洗濯槽に注水する給水部とを備え、前記給水部は、給水弁と、前記給水弁からの水を受ける貯水部と、前記貯水部の水を前記洗濯槽に供給する注水口と、前記貯水部の底面に向けて前記貯水部の底面との間に水の流れを許容する流路を有して形成され、前記給水弁からの流水方向に対向して形成される第１の仕切り壁と、前記貯水部底面から前記給水弁からの水を前記貯水部に注水する水管開口部と前記第１の仕切り壁との間に、前記水管開口部に対向して形成される第２の仕切り壁とを備えるものである。
【発明の効果】
【００１８】
本発明は、上記従来の課題を解決するもので、簡単な構成で、給水部からの水漏れを防止できる。
【図面の簡単な説明】
【００１９】
【図１】本発明の実施の形態１における洗濯機の縦断面図
【図２】同洗濯機の一部を透視した給水部回りの斜視図
【図３】同洗濯機の給水部回りの一部を判断した斜視図
【図４】本発明の実施の形態２における洗濯機の一部を透視した給水部回りの斜視図
【図５】同洗濯機の給水部回りの一部を判断した斜視図
【図６】従来の洗濯機の斜視図
【図７】従来の洗濯機の給水部の要部断面図
【発明を実施するための形態】
【００２０】
第１の発明は、洗濯物を収容する洗濯槽と、前記洗濯槽に注水する給水部とを備え、前記給水部は、給水弁と、前記給水弁からの水を受ける貯水部と、前記貯水部の水を前記洗濯槽に供給する注水口と、前記貯水部の底面に向けて前記貯水部の底面との間に水の流れ
を許容する流路を有して形成され、前記給水弁からの流水方向に対向して形成される第１の仕切り壁と、前記貯水部底面から前記給水弁からの水を前記貯水部に注水する水管開口部と前記第１の仕切り壁との間に、前記水管開口部に対向して形成される第２の仕切り壁とを備えるものである。
【００２１】
これにより、水管開口部から吐出した水は、第２の仕切り壁に衝突したのち、貯水部底面と反対方向の上方に進み、その後、第１の仕切り壁に向けて方向を変える。第１の仕切り壁に衝突した後、貯水部の底面に向けて流れるので、給水部全体の高さ方向を小さくなる。第１の仕切り壁の下辺が水管開口部より高い位置に設けられた場合でも、水管開口部から吐出する水は、第１の仕切り壁の下辺より流出する際に、貯水部底部を向いた速度成分のみを持つようになる。さらに、貯水部にたまった水により、均一に水圧を受け、貯水部の水面を押し上げないので、給水部をコンパクトに設計しながら、給水部からの水漏れを防止できる。
【００２２】
第２の発明は、特に、第１の発明の第１の仕切り壁の下辺は、前記水管開口部より下方向に延設したものである。
【００２３】
これにより、水管開口部から吐出した水は、第１の仕切り壁に衝突後、吐出方向の速度をさらに失うので、給水部からの水漏れを防止できる。
【００２４】
第３の発明は、特に、第１または第２の発明の注水口の一部は、前記第１の仕切り壁と前記水管開口部との間に配置したものである。
【００２５】
これにより、第１の水管部に給水弁がある洗濯機、給水弁がない洗濯機で、給水部品を共用しても、第２の水管部から貯水部に給水されるとき、第１の仕切り壁の第１の水管部側の水位を低くすることができるので、第１の水管部に水が逆流せず、水漏れを防止できる。
【００２６】
第４の発明は、特に、第１から第３のいずれかの発明の第１の仕切り壁は、天面を有する壁構造に形成したものである。
【００２７】
これにより、第１の仕切り壁は、水管開口部に対向する部位だけでなく、第１の仕切り壁の上部と周囲に筒状に壁を構成できる。水管開口部から吐出した水が第１の仕切り壁に衝突した後、水は筒状の第１の仕切り壁と、第１の仕切り壁底部とで仕切られた空間の内側に閉じ込められ、第１の仕切り壁の外側に漏れ出さないので、給水部からの水漏れを防止できる。また、第１の水管部に給水弁がある洗濯機、給水弁がない洗濯機で、給水部品を共用しても、第２の水管部から貯水部に給水されるとき、水管開口部を筒状の第１の仕切り壁で囲うことができ、洗濯槽に流下する水の流量が多い場合でも、水管開口部に水が浸入しないので、水漏れを防止できる。
【００２８】
第５の発明は、特に、第１から第４のいずれかの発明の第２の仕切り壁により囲まれる空間の底面に、水抜き孔を形成したものである。
【００２９】
これにより、洗濯槽への給水が終了した後は、第２の仕切り壁に筒状に囲まれる範囲に残った水を排水することができ、第２の仕切り壁内側に溜まった水が脱水運転による振動でこぼれて注水部から流下し、脱水後の衣類を濡らすことを防止できる。また、第１の水管部に給水弁がある洗濯機、給水弁がない洗濯機で、給水部品を共用しても、第２の水管部から貯水部に給水されるとき、貯水部の水位が、筒状の第２の仕切り壁の高さを超えるまで高くなっても、水抜き穴より洗濯槽へ水を流下することができ、水管開口部に水が浸入しないので、水漏れを防止できる。
【００３０】
以下、本発明の実施の形態について、図面を参照しながら説明する。なお、この実施の形態によって本発明が限定されるものではない。
【００３１】
（実施の形態１）
図１は、本発明の第１の実施の形態における洗濯機の縦断面図、図２は、同洗濯機の一部を透視した給水部回りの斜視図、図３は、同洗濯機の給水部回りの一部を破断した斜視図である。
【００３２】
図１において、本体２内部には、水槽８１がサスペンション機構８０により垂下防振支持されている。水槽８１内には、洗濯槽１を回転自在に収納されており、洗濯槽１の周壁には、多数の小孔が設けられている。また、洗濯槽１の底部には、衣類攪拌用のパルセータ８２が回転自在に配されており、パルセータ８２および洗濯槽１は、水槽８１の外底部に固定したモータ８３により回転駆動される。
【００３３】
洗濯槽１の上部には、内部にバランサー液を封入した環状の流体バランサー８４が取り付けられており、流体バランサー８４により脱水時の振動を低減している。
【００３４】
本体２の上部には、上部筐体３を装着している。上部筐体３には、略中央部に衣類投入口４を形成しており、蓋体５が衣類投入口４を開閉自在に覆うように配設されている。
【００３５】
上部筐体３の後部には、給水部２０が配設され、給水部２０には、冷水を供給する冷水給水弁６と、温水を供給する温水給水弁７が配設されている。冷水給水弁６と温水給水弁７は、二連給水弁方式であり、冷水給水弁６、あるいは、温水給水弁７から供給する水、あるいは、温水は、第１の水管部８、第２の水管部９、第１の水管開口部１４Ａ、第２の水管開口部１４Ｂを経由し、第１の仕切り壁１５ａ下部の隙間から貯水部１０を介して注水口１１から洗濯槽１内に供給される。
【００３６】
なお、給水部２０の構成の詳細は、後述する。
【００３７】
水槽８１内の洗濯水は、水槽８１の外底部に設けた排水弁８５により排水、止水が制御されており、排水時に排水弁８５が開放されると、洗濯水は、排水弁８５に接続された排水ホース８６から機外へ排水される。
【００３８】
運転コース等のモードや各種機能の選択は、上部筐体３の前面上部に設けられた操作表示部８７により使用者が入力設定手段（図示せず）へ入力して行い、操作表示部８７の内方に配設された制御装置８８が、入力情報を基に表示手段（図示せず）で表示して使用者に知らせる。
【００３９】
制御装置８８は、モータ８３、排水弁８５、冷水給水弁６、温水給水弁７などを制御して、洗い、すすぎ、脱水の一連の行程を逐次制御するもので、マイクロコンピュータからなる制御手段(図示せず)を備えている。
【００４０】
図２及び図３を用いて、以下に、給水部２０の構成を詳細に説明する。
【００４１】
冷水を供給する冷水給水弁６と、温水を供給する温水給水弁７は、それぞれ、略水平方向に接続された第２の水管部９と第１の水管部８を通して貯水部１０に冷水、温水を供給する。
【００４２】
なお、以下に説明する、冷水給水弁６から第２の水管部９、第２の水管開口部１４Ｂ、
第１の仕切り壁１５ｂ、第１の仕切り壁１５ａ、貯水部１０、注水口１１へ至る流路の構成は、温水給水弁７から第１の水管部８、第１の水管開口部１４Ａ、第１の仕切り壁１５ｂ、第１の仕切り壁１５ａ、貯水部１０、注水口１１へ至る流路の構成と同様であり、温水給水弁７側の説明は省略する。
【００４３】
貯水部１０は、貯水部底部１２と、貯水部底部１２の周囲を囲み上方に伸延する貯水部周囲壁１３ａ、１３ｂ、１３ｃ、１３ｄで形成された貯水部周囲壁１３とからなる有底矩形型筒状に構成されている。貯水部底部１２には、洗濯槽１の上部開口の範囲内で開口する注水口１１を形成しており、注水口１１から洗濯槽１に給水する。後方に位置する貯水部周囲壁１３ｃは、第１の水管部８及び第２の水管部９に近接しており、貯水部周囲壁１３ｃの上辺は、他の貯水部周囲壁１３ａ、１３ｂ、１３ｄより上方に伸延している。
【００４４】
第２の水管部９内の流路は、貯水部周囲壁１３ｃまで略水平方向に伸延した後、下方向に向かい、次いで、略水平方向に向けて伸延し、貯水部周囲壁１３ｃを貫通して貯水部１０と連通している。第２の水管部９内の流路と貯水部１０との接続部が貯水部周囲壁１３ｃに形成した第２の水管開口部１４Ｂである。
【００４５】
第２の水管開口部１４Ｂは、第２の水管部９よりも管内流路を狭く形成している。
【００４６】
本実施の形態では、第２の水管開口部１４Ｂの最下面は、第２の水管部９の最下面と略同一面に形成している。第２の水管開口部１４Ｂの最上面は、第２の水管部９の中心の高さと略同じ高さに形成している。第２の水管開口部１４Ｂの上部は、半径ｒｂのドーム形状に形成している。半径ｒｂは、第２の水管部９の半径ｒａより小さく設定しており、本実施の形態では、半径ｒｂは、第２の水管部９の半径ｒａの略１／２に設定している。水管開口部１４の下部は、第２の水管部９の半径ｒａと略同一に設定している。
【００４７】
上部筐体３には、貯水部１０に対応して第１の仕切り壁底面１６を形成し、第１の仕切り壁底部１６から貯水部底部１２に向けて第１の仕切り壁１５を垂下形成している。
【００４８】
なお、本実施の形態では、第１の仕切り壁底面１６は、上部筐体３と一体に形成しているが、上部筐体３とは別体に形成し、上部筐体３に接着等により一体化してもよい。
【００４９】
第１の仕切り壁１５は、第１の仕切り壁底部１６を上部に有する有底型の略半円筒形状であり、半円状部の第１の仕切り壁１５ａと、直線状部の第１の仕切り壁１５ｂとで構成されている。半円状部の第１の仕切り壁１５ａは、貯水部周囲壁１３ｃから最も離間した部分が第２の水管開口部１４Ｂからの流水方向Ｄに対向するよう構成している。
【００５０】
半円状部の第１の仕切り壁１５ａは、下辺部が貯水部底部１２との間に所定の隙間ｄを設けて形成している。直線状部の第１の仕切り壁１５ｂは、第２の水管開口部１４Ｂ上方に位置し、下辺部は、第２の水管部９の外壁形状に近接するように円弧状に切り欠いて形成している。すなわち、直線状部の第１の仕切り壁１５ｂの切り欠いた部分は、第１の仕切り壁１５ａに比べて壁の長さは短いため、下辺部の切り欠いた部分は、半円状部の第１の仕切り壁１５ａの下辺より高い位置になっている。
【００５１】
注水口１１は、貯水部底部１２の長手方向ほぼ全域にわたり開口しており、冷水給水弁６からの冷水と温水給水弁７からの温水が、貯水部１０を介して洗濯槽１に向かって給水されるようになっている。
【００５２】
貯水部底部１２は、貯水部１０の長手方向に向かって、中央部が低く、両端部に行くに従って高くなるように半径ｒｃの曲面形状に形成されており、貯水部１０内に残水しない
ように構成している。
【００５３】
有底略半円筒形状の第１の仕切り壁１５内には、貯水部底部１２を上方に向かって隆起させて第２の仕切り壁底部１８を形成しており、第２の仕切り壁底部１８から第１の仕切り壁１５ａと第２の水管開口部１４Ｂとの間に、上方に向けて第２の仕切り壁１７を形成している。
【００５４】
第２の仕切り壁１７は、第２の水管開口部１４Ｂからの水流方向に対向する部分を第２の仕切り壁１７ａとして、第２の仕切り壁１７ａは、上辺と第１の仕切り壁底部１６との間に隙間ｃを形成し、隙間ｃを水が流れるように構成している。第２の仕切り壁１７は、第１の仕切り壁１５ｂに近接する部分を第２の仕切り壁１７ｂとし、上辺を第１の仕切り壁底部１６に近接させており、第２の仕切り壁１７ｂを通過する水の流量を少なくしている。
【００５５】
第２の水管開口部１４Ｂ側は、貯水部周囲壁１３ｃの上辺、第２の仕切り壁１７ｂの上辺、第１の仕切り壁１５ｂの下辺、第２の水管開口部１４Ｂ最上面の順に高さが低くなるように形成している。
【００５６】
第２の水管開口部１４Ｂの流水方向Ｄに対向する側は、第１の仕切り壁底部１６、第２の仕切り壁１７ａの上辺、第２の水管開口部１４Ｂ最下面、第１の仕切り壁１５ａの下辺の順に高さが低くなるように形成している。
【００５７】
第２の仕切り壁１７の底面側に形成された第２の仕切り壁底部１８は、貯水部底部１２から隆起して形成し、貯水部底部１２より高く形成している。第２の仕切り壁底部１８には、洗濯槽１上部開口の範囲に開口した水抜き孔１９を構成している。水抜き孔１９により、給水が終了した後にスムーズに水が抜くことができ、水が残って脱水運転による振動でこぼれて給水部２０から洗濯槽１内に流下し、脱水後の衣類を濡らすことはない。
【００５８】
第１の仕切り壁１５ａと、第２の仕切り壁１７ａとは、それぞれ半径ｒｄ、半径ｒｅの曲面で形成している。本実施の形態では、第１の仕切り壁１５ａと、第の仕切り壁１７ａは、同心で、第１の仕切り壁１５ａの半径ｒｄに比べ第２の仕切り壁１７ａの半径ｒｅを小さく設定している。これによって、第１の仕切り壁１５ａと、第２の仕切り壁１７ａとの間の隙間が、半径方向に均一になるよう構成している。
【００５９】
貯水部底部１２と第１の仕切り壁１５ａとの間の隙間ｄ、第１の仕切り壁底部１６と第２の仕切り壁１７ａとの間の隙間ｃとは、第１の仕切り壁１５ａの半径ｒｄから第２の仕切り壁１７ａの半径ｒｅを引いた寸法とほぼ同一になるように形成しており、隙間ｃ、第１の仕切り壁１５ａと第２の仕切り壁１７ａとの隙間、及び隙間ｄの間を流れる流路面積が急激に変わらないように構成している。
【００６０】
給水部２０は、上述の冷水給水弁６、温水給水弁７、第１の水管部８、第２の水管部９、貯水部１０、注水口１１、貯水部底部１２、貯水部周囲壁１３、第２の水管開口部１４Ｂ、第１の水管開口部１４Ａ、上部筐体３の第１の仕切り壁底部１６、第１の仕切り壁１５、第２の仕切り壁１７、第２の仕切り壁底部１８、水抜き孔１９などにより構成している。
【００６１】
冷水給水弁６は、所定の水道圧力の範囲で、最小流量Ｑｍｉｎから最大流量Ｑｍａｘの範囲で間で給水するように設定している。
【００６２】
一般に、有底筒状の容器に流量Ｑが流入し、底面に開けた面積ｓから速度ｖで流出する
場合、水が上昇する高さｈは、速度ｖを２乗したものを、重力加速度ｇの２倍で除して得られるので、所定の流量Ｑを流すためには、設定した高さｈに対して面積ｓとを設定すればよい。
【００６３】
本実施の形態では、貯水部周囲壁１３ａの高さｈ１は、最大流量Ｑｍａｘで、注水口１１の開口面積ｓ１から流すのに必要な高さより十分高くなるように設定している。第１の仕切り壁１５ａの下辺の隙間ｄは、最大流量Ｑｍａｘで、注水口１１の開口面積ｓ１から流すのに必要な高さより十分低くなるように設定している。水抜き孔１９の開口面積ｓ２は、最小流量Ｑｍｉｍでも、確実に貯水部１０に給水させるため、第２の仕切り壁１７ａの高さｈ２を超える水位になるよう設定している。これにより、洗濯機に最大流量Ｑｍａｘを給水する場合でも、貯水部周囲壁１３ａから外部に水漏れしないので、給水部２０からの水漏れが防止できる。
【００６４】
以上のように構成した洗濯機について、以下に、その動作、作用を説明する。
【００６５】
なお、上述のように、温水給水弁７から貯水部１０、注水口１１における構成は、冷水給水弁６から貯水部１０、注水口１１における構成と同様であり、温水給水弁７側の説明は省略する。
【００６６】
第１の仕切り壁１５ａと第２の水管開口部１４Ｂとの間に、第２の仕切り壁１７を第２の水管開口部１４Ｂの流水方向Ｄに対向して立設しているので、第２の水管開口部１４Ｂから吐出する水は、第２の仕切り壁１７ａに衝突する。衝突した水は、第２の水管開口部１４Ｂの流水方向Ｄへの速度を失う。さらに、第２の仕切り壁１７ａを通過した水は、第１の仕切り壁１５ａと第２の仕切り壁１７の間を下方向に進むので、速度成分は下方向のみとなる。
【００６７】
本実施の形態においては、第１の仕切り壁１５ａの手前に、第２の仕切り壁１７を水管開口部１４の流水方向Ｄに対向して形成している。これにより、第２の水管開口部１４Ｂから吐出する水は、第２の仕切り壁１７に衝突して、水管開口部１４の流水方向Ｄへの速度を失うとともに、貯水部底部１２とは反対の上方への速度成分を持つ。その後、第１の仕切り壁１５ａと第２の仕切り壁１７の間を流れる水は、下方向の速度成分のみとなる。貯水部１０の水位を上げにくくなるので、給水部２０からの水漏れを防止することができる。
【００６８】
第１の仕切り壁１５ａの下辺を第２の水管開口部１４Ｂの下まで伸延しなくても、第１の仕切り壁１５ａと第２の仕切り壁１７との間を流れる水は、下方向の速度成分のみとなる。これにより、水漏れを防止できるので、給水部２０の高さ方向の寸法を小さくし、製品をコンパクトに設計することができる。
【００６９】
第１の仕切り壁底部１６と第２の仕切り壁１７ａとの間の隙間ｃ、第１の仕切り壁１５ａと第２の仕切り壁１７ａとの隙間、貯水部底部１２と第１の仕切り壁１５ａとの間の隙間ｄは、流路面積が急激に変わらないように略同一に形成している。さらに、第１の仕切り壁１５ａと第２の仕切り壁１７ａとは、同心状に形成しており、流路の損失を低減できるので、筒状の第１の仕切り壁１５内側の圧力が上昇することはない。
【００７０】
第１の仕切り壁１５ａは、 第２の水管開口部１４Ｂの流水方向Ｄに対向して配置しているので、第１の仕切り壁１５ａの下辺は、貯水部１０に溜まった水に水没しやすい。さらに、第２の水管開口部１４Ｂから吐出する水が、第１の仕切り壁１５ａに衝突することにより、第２の水管開口部１４Ｂの流水方向Ｄへの速度成分がさらに失われる。
【００７１】
本実施の形態においては、第１の仕切り壁１５ａの下辺を通過する水は、貯水部１０に溜まった水の水位ｈに相当する水圧を受けて、第２の水管開口部１４Ｂの流水方向Ｄへの速度成分を失い、注水口１１から洗濯槽１に流下する流れだけとなる。これにより、貯水部１０の水位を上昇しにくくできるので、部品寸法のばらつきや、温度変化による寸法変化が生じた場合でも、給水部２０からの水漏れを防止することができる。
【００７２】
また、第１の仕切り壁１５ａは、第１の仕切り壁底部１６を上部に有する構成にしているので、第１の仕切り壁底部１６に達した水は、周囲の第１の仕切り壁１５ａを流れるときには、速度成分は下方向のみとなる。
【００７３】
本実施の形態においては、第１の仕切り壁１５ａは、第１の仕切り壁底部１６を上部に有するので、水は第１の仕切り壁１５ａの内側に仕切られた空間に閉じ込められ、外側に漏れ出さない。第１の仕切り壁底部１６に達した水が周囲の第１の仕切り壁１５ａを流れるときには、速度成分は下方向のみとなり、貯水部１０の水位を上げにくいので、給水部２０からの水漏れを防止することができる。
【００７４】
第２の仕切り壁１７は、第２の仕切り壁底部１８から立設した有底筒型の壁構造を構成し、第２の仕切り壁底部１８には、洗濯槽１上部開口の範囲に開口した水抜き孔１９を形成して、第２の仕切り壁１７に囲まれた水を排水するようにしている。
【００７５】
本実施の形態においては、筒状の第２の仕切り壁１７に囲まれた水を排水するようにしている。これにより、第２の仕切り壁１７に囲まれる範囲の水位を下げることができ、第２の仕切り壁１７内側に溜まった水が脱水運転による振動でこぼれて注水部から流下し、脱水後の衣類を濡らすことを防止できる。
【００７６】
さらに、本実施の形態では、水抜き孔１９の開口面積ｓ２は、最小流量Ｑｍｉｎでも、第２の仕切り壁１７ａの高さｈ２を超える水位になるように選択しているので、確実に貯水部１０に給水させることができる。最小流量Ｑｍｉｎで給水する場合でも、第２の仕切り壁１７ａを超えて貯水部１０に給水でき、注水口１１から洗濯槽１内の所定の位置に給水できるので、洗剤溶解性能や、衣類の濡れ具合などに給水位置の違いによるばらつきがなくなり、所望の洗浄性能を得ることもできる。
【００７７】
本実施の形態では、貯水部周囲壁１３ｃの高さｈ１は、最大流量Ｑｍａｘで、注水口１１の開口面積ｓ１から流すのに必要な高さより十分高くなるように設定している。これにより、最大流量Ｑｍａｘを給水する場合でも、貯水部周囲壁１３ａから外部に水漏れしないので、給水部２０からの水漏れを防止することもできる。
【００７８】
また、本実施の形態では、第１の仕切り壁１５ａの下辺の隙間ｄは、最大流量Ｑｍａｘで、注水口１１の開口面積ｓ１から流すのに必要な水位より十分低くなるように設定している。これにより、第１の仕切り壁１５ａの下辺は、貯水部１０に溜まった水にさらに容易に水没することができる。洗濯機に供給する水の流量が大きく、第２の水管開口部１４Ｂからの吐出速度が高く水漏れしやすい状況でも、第１の仕切り壁１５ａの下辺を通過する水は、貯水部１０に溜まった水の水位ｈに相当する水圧を受ける。水圧を受けた水は、第２の水管開口部１４Ｂの流水方向Ｄへの速度成分を失うことにより、貯水部１０の水位がさらに上昇しにくくなるので、給水部２０からの水漏れを防止することができる。
【００７９】
本実施の形態では、貯水部底部１２と、第１の仕切り壁１５ａとの間の隙間ｄ、第１の仕切り壁底部１６と第２の仕切り壁１７ａとの間の隙間ｃとは、半径ｒｄから半径ｒｅを引いた寸法とほぼ同一になるように設定している。これらの隙間の流路面積が急激に変わらないようにしたことにより、流路の損失を低減できるので、筒状の第１の仕切り壁１５
ａ内側の圧力を上昇させなくなり、第１の仕切り壁１５ａ周囲からの水漏れをさらに防止することができる。
【００８０】
また、本実施の形態では、第１の仕切り壁１５ａと第２の仕切り壁１７とは、同心の半径ｒｄ、半径ｒｅの曲面で構成している。これによって、第１の仕切り壁１５ａと、第２の仕切り壁１７ａとの間の隙間が、半径方向に均一になる。第１の仕切り壁１５ａと第２の仕切り壁１７との間の流路を均一にできるので、水圧、流速の偏りがなくなり、貯水部１０に溜まった水の水位の偏りを防止でき、給水部２０からの水漏れを防止することができる。
【００８１】
本実施の形態では、貯水部底部１２は、長手方向に半径ｒｃの曲面に形成し、中央部が低く、端部に行くにしたがって、高く構成している。これにより、本体２が傾いた場合でも、注水口１１から流下する水は、貯水部底部１２の半径ｒｃの最下部にまとまる。本体２の傾きの影響を受けずに洗濯槽１内の所望する位置に注水できるので、洗浄性能などのばらつきを防止することができる。冷水を給水して洗濯する場合でも、温水と冷水とを交互に給水して洗濯する場合でも、注水口１１から流下する水は、貯水部底部１２の半径ｒｃの最下部にまとまる。洗濯槽１内の同じ位置に給水することができるので、洗剤溶解性能や、衣類の濡れ具合などに給水位置の違いによるばらつきがなく、所望の洗浄性能を得ることができる。
【００８２】
また、本実施の形態では、第１の仕切り壁１５ａと第１の仕切り壁底部１６を、上部筐体３に一体に形成したことにより、別部品を取り付ける必要がなくなる。構成を簡素化できるとともに、取り付け寸法ばらつきの影響を受けずに、防水することができる。
【００８３】
本実施の形態では、第２の仕切り壁１７は、第１の仕切り壁１５ａに近接し、第２の仕切り壁１７ａの上辺は、第１の仕切り壁底部１６に近接している。この隙間を通過する水の流量が少なくなるので、第１の仕切り壁１５ａと第２の仕切り壁１７との間から流下する水が、給水部２０からあふれて水漏れすることを防止することができる。
【００８４】
本実施の形態では、貯水部周囲壁１３ｃは、上辺を他の貯水部周囲壁より上方に伸延している。これにより、第１の仕切り壁１５ｂの内側を流下する水が、第２の水管開口部１４Ｂの上部で跳ね返っても、給水部２０からの水漏れを防止することができる。
【００８５】
（実施の形態２）
図４は、本発明の実施の形態２における洗濯機の一部を透視した給水部回りの斜視図、図５は、同洗濯機の給水部回りの一部を破断した斜視図である。
【００８６】
図において、第１の水管部８に接続する温水給水弁７を省略している。
【００８７】
本実施の形態２は、第２の仕切り壁２１７ａの高さｈ２’を、最大流量Ｑｍａｘで、注水口１１の開口面積ｓ１から流すのに必要な高さより十分高くなるように設定している。その他の構成は、本発明の第１の実施の形態と同様であるので省略する。
【００８８】
なお、以下に説明する冷水給水弁６側の構成の説明は、温水給水弁７側における構成と同様であるので、温水給水弁７側の説明は省略する。
【００８９】
以上のように構成した洗濯機について、以下に、その動作、作用を説明する。
【００９０】
図４および図５において、冷水給水弁６から第２の水管部９を介して貯水部１０に給水する。貯水部１０に高さｈで水が溜まり、第１の仕切り壁２１５ａの下部を通って第１の
水管部８側に速度ｖ’で流入する際、第１の仕切り壁２１５ａの内側に囲まれた範囲の水位ｈ’は、水位ｈに比べて、速度ｖ’の２乗を、重力加速度ｇの２倍で除して得られる速度ヘッド分低くすることができる。
【００９１】
以上のように、本実施の形態２においては、第１の仕切り壁２１５ａの内側に囲まれた範囲の水位ｈ’を低くすることができる。貯水部底部１２より一段高くした第１の水管開口部２１４Ａに水が浸入しにくくなり、第１の水管部８への水の逆流を防止することができる。温水給水弁７がある製品、ない製品で、給水部２００を共通で使えるので、部品の誤用を防止することができる。
【００９２】
冷水給水弁６からの給水流量がさらに増え、貯水部１０の水位ｈおよび、第１の仕切り壁２１５ａ内の水位ｈ’が第２の仕切り壁底部２１８より高くなる場合においても、第２の仕切り壁２１７ａにより水の浸入を防止することができる。
【００９３】
以上のように、本実施の形態２においては、第２の仕切り壁２１７ａにより水の浸入を防止するので、第１の水管開口部２１４Ａに水が浸入しにくくなり、第１の水管部８への水の逆流を防止することができる。
【００９４】
第２の仕切り壁底部２１８に水抜き孔２１９を有しているので、第２の仕切り壁２１７ａを超えて逆流した水を洗濯槽１内に流下することができる。
【００９５】
また、本実施の形態２においては、第２の仕切り壁底部２１８に水抜き孔２１９を形成している。第１の仕切り壁２１５ａ内の水位ｈ’が第２の仕切り壁２１７ａを超えるまで高くなっても、水抜き孔２１９から水を流下するので、第１の水管開口部２１４Ａに水が浸入しにくくなり、第１の水管部８への水の逆流を防止することができる。
【００９６】
本実施の形態２においては、第２の仕切り壁２１７ａの高さｈ２’を、最大流量Ｑｍａｘで、注水口１１の開口面積ｓ１から流すのに必要な高さより十分高くなるように設定している。最大流量Ｑｍａｘで給水しても、第２の仕切り壁２１７ａから水管開口部１４側に水が浸入しにくくなり、第１の水管部８への水の逆流を防止することができる。
【００９７】
本実施の形態２では、第１の仕切り壁２１５ａ、第１の仕切り壁底部２１６を、上部筐体３に一体に構成している。別部品を取り付ける必要がないので、構成を簡素化することができるとともに、取り付け寸法ばらつきの影響を受けずに、第１の水管部８への水の逆流を防止することができる。
【００９８】
本実施の形態２では、第２の仕切り壁２１７ｂは、背面を第１の仕切り壁２１５ａに近接するとともに、上辺は第１の仕切り壁底部２１６に近接し、この隙間を通過する水の流量を少なくなり、第１の水管部８への水の逆流を防止することができる。
【産業上の利用可能性】
【００９９】
以上のように、本発明にかかる洗濯機は、給水流量が多くても、簡単な構成で、給水部からの水漏れを防止することが可能となるので、給水部を有する他の洗濯機の用途に適用できる。
【符号の説明】
【０１００】
１  洗濯槽
２  本体
３  上部筐体
６  冷水給水弁
７  温水給水弁
８  第１の水管部
９  第２の水管部
１０  貯水部
１１  注水口
１２  貯水部底部
１３  貯水部周囲壁
１４Ａ  第１の水管開口部
１４Ｂ  第２の水管開口部
１５  第１の仕切り壁
１５ａ  第１の仕切り壁
１５ｂ  第１の仕切り壁
１６  第１の仕切り壁底部
１７  第２の仕切り壁
１８  第２の仕切り壁底部
１９  水抜き孔
２０  給水部
２１４Ａ  第１の水管開口部
２１５ａ  第１の仕切り壁
【図１】
2019092614.tif 000003
【図２】
2019092614.tif 000004
【図３】
2019092614.tif 000005
【図４】
2019092614.tif 000006
【図５】
2019092614.tif 000007
【図６】
2019092614.tif 000008
【図７】
2019092614.tif 000009